(57)【要約】【課題】  ゴルフクラブのうち、中空構造のヘッドを使用している場合に、気温や気圧の差によって打球面の反発度合が変化して安定した飛距離が得られない、又、素材にひび割れ等の損傷が起きる。【解決手段】  ゴルフクラブヘッドの中空構造を完全に密閉化して、頑健な変圧弁３を取り付け外気との圧力をいつも同じにすることにより、常に一定した打球面の反発が得られ方向性や飛距離が安定し、且つ素材へのダメージを最小限度に抑えられ、ひび割れや損傷が軽減できる。【選択図】図２
0003125174.tif 000002
【実用新案登録請求の範囲】
【請求項１】
ゴルフクラブのヘッドの部位が中空で構成されているものに関し、ヘッド底面の後方中央に取り付けて内部の圧力を常に一定にする変圧装置。
【請求項２】
中空ゴルフクラブヘッドの変圧装置に接しさせて、内圧力を一定にする携帯用変圧器。
【考案の詳細な説明】
【技術分野】
【０００１】  本考案は、中空ゴルフクラブヘッド部位とそれに係る携帯用変圧器に関する。
【背景技術】
【０００２】  従来の中空ゴルフクラブヘッド（ウッド系、アイアン系、パター系）では密閉性がないか、又は密閉性があっても製作時のままであった為に、外気圧や温度差によってその性能に安定性が欠けている。
【考案の開示】
【考案が解決しようとする課題】
【０００３】  従来の中空ゴルフクラブヘッド（ウッド系、アイアン系、パター系）の製作過程では密閉性が構成されていないか、又は仮にクラブヘッド内部が密閉構造になっていても製作の場所、時期等によりクラブヘッドの内部の圧力は個々に違ったものとなり、性能的に均一性のない製品が多々ある、又ほぼ同一のものが作成されたとしても使用時の場所や時期で内外圧に差が生じて安定した方向性、飛距離が得られない、例えば冬の時期にゴルフのプレー中、特にドライバー等の中空ゴルフクラブの飛距離が夏の時期より減少する、逆に高温な時期に中空アイアンを使用して想定以上の飛距離が出て戸惑うことがある、又、稀ではあるが内外圧の大きな差によってクラブヘッドにひび割れや破損が発生する。
【課題を解決するための手段】
【０００４】  そこで、中空ゴルフクラブヘッド（ウッド系、アイアン系、パター系）にこの変圧装置を取り付けて内部をいつも一定の圧力に保持する。
【考案の効果】
【０００５】  この変圧装置付きゴルフクラブ（ウッド系、アイアン系、パター系）を使用するときに、ゴルフ場の高低差（気圧差）、又は使用の時期（温度差）の違いによる内外圧の差を何時も一定に調整すれば、安定した反発（方向、飛距離）が得られ、又、内外圧に大きな差がないことにより打球時、クラブヘッドへの急激な衝撃による素材の破損等が回避できる。
【考案を実施するための最良の形態】
【０００６】  本考案に係る中空ゴルフクラブヘッドの変圧装置は、図１に示すように、ゴルフクラブヘッドの底面の後方中央に位置し、図２に示すように、クラブヘッド底面２より引っ込んで取り付けており、その上部から変圧弁３を保護し、又、打撃時の衝撃で内部圧力が拡散して圧力が漏れるのを防止するのも兼ねてネジ込み式のカバー４を装着する。
【図面の簡単な説明】
【０００７】
【図１】  本考案（請求項１）に係る変圧装置を中空ゴルフクラブヘッドに装備した平面図である、ゴルフクラブヘッド１を底から見た図でヘッド底面２の後方中央に変圧弁３を設置し、その上からカバー４をする。
【図２】  本考案（請求項１）に係る変圧装置を示した断面図である、変圧弁３はクラブヘッド１の底面２より引っ込んで凹型に設置し、その上からカバー４を付けることにより変圧弁３を保護し、且つ打撃時の加圧を受け止める。
【図３】  本考案（請求項２）に係る携帯用変圧器の平面図である、ポンプ１１を作用してメーター１２が一定の目盛になるまで圧力を蓄える、次にノズル１３をクラブヘッドのバルブ口５に差し込んで、今蓄えた圧をヘッド内に注入し、クラブヘッドの内圧を常時一定したものにする。
【図４】  本考案（請求項２）に係る携帯用変圧器の断面図である。
【符号の説明】
【０００８】  １クラブヘッド
２クラブヘッドの底面
３変圧弁
４変圧弁のカバー
５バルブ口
１０変圧器
１１ポンプ
１２メーター
１３ノズル
１４弁
１５スプリング装置
【図１】
0003125174.tif 000003
【図２】
0003125174.tif 000004
【図３】
0003125174.tif 000005
【図４】
0003125174.tif 000006
【手続補正書】
【提出日】平成18年2月3日(2006.2.3)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブのヘッドの部位が中空で密閉構成されているものに関し、ヘッド底面の後方中央に取り付ける変圧装置であり、外郭部位（図３）、コマ型弁（図４）、取付け部位（図５）とで構成しており、取付け部位（図５）の周りの突起したネジ山１４と、ゴルフクラブヘッドの装着部の内側にネジ切をした、円形の穴にねじ込んで装着する円柱形の変圧装置３（図６）である、その中のコマ型弁（図４）は奥側に押し返し用のドーナツ型ラバー１０、入り口部に気圧遮断用のドーナツ型ラバー１１が付いており、取付け部位（図５）の中央の穴には気圧遮断用のドーナツ型ラバー１５を取り付けて、（請求項２）の変圧器のノズル２３（図８）をバルブ口５（図７）に付けて押し込みゴルフクラブヘッド内部の圧力を常に一定にする変圧装置である。
【請求項２】
中空ゴルフクラブヘッドの変圧装置に接しさせて、内圧力を一定にする携帯用変圧器で、本体部位（図１０）と、内側のハンドル付きシリンダー部位（図１１）とで構成しており、平面図（図８）、立体面（図１３）の様な形成である、ハンドル２１（図８）を時計と逆回りに廻して空気孔３０（図９）から空気をいっぱいに入れる、そしてハンドルを時計回りにネジ込むと各弁２５（図９）が閉じ変圧器内の圧力が揚がるのでメーターの定数を確認して固定させ（ハンドルを停止すれば固定する）、ゴルフクラブヘッドに装着した変圧装置（図２）のバルブ口５にノズル２３（図８）を押し込んでゴルフクラブヘッド１（図２）内の圧力を一定にする携帯用変圧器である。
【手続補正２】
【補正対象書類名】明細書
【補正対象項目名】全文
【補正方法】変更
【補正の内容】
【考案の詳細な説明】
【技術分野】
【０００１】  本考案は、ゴルフクラブに関するものであり、中空ゴルフクラブヘッド部位に変圧装置を付けることによりゴルフボールの飛球に安定性を得て、用具の耐久性も高まるものであり、それに係る携帯用変圧器にも関するものである。
【背景技術】
【０００２】  従来の中空ゴルフクラブヘッド（ウッド系、アイアン系、パター系）では密閉性がないか、又は密閉性があっても製作時のままであった為に、外気圧や温度差によってその性能に安定性が欠けている、
【考案の開示】
【考案が解決しようとする課題】
【０００３】  従来の中空ゴルフクラブヘッド（ウッド系、アイアン系、パター系）の製作過程では製作の場所、時期等によりクラブヘッドの内部の圧力は個々に違ったものとなり、性能的に均一性のない製品が多々ある、又ほぼ同一のものが作成されたとしても使用時の場所や時期で内外圧に差が生じて安定した方向性、飛距離が得られない、例えば冬の時期にゴルフのプレー中、特にドライバー等の中空ゴルフクラブの飛距離が夏の時期より減少する、逆に高温な時期に中空アイアンを使用して想定以上の飛距離が出て戸惑うことがある、又、稀ではあるが内外圧の大きな差によってクラブヘッドにひび割れや破損が発生する。
【課題を解決するための手段】
【０００４】  この課題を解決するため中空ゴルフクラブヘッド（ウッド系、アイアン系、パター系）に装着させた、請求項１の変圧装置３（図２）のバルブ口５に、ハンドル２１（図８）を作動させてメーター２２が一定の目盛になるまで圧力を蓄えた変圧器２０（図８）のノズル２３を差し込んで、その蓄えた圧力を注入することで、ゴルフクラブヘッドの内圧を常時一定したものにする。
【考案の効果】
【０００５】  この変圧装置付きゴルフクラブ（ウッド系、アイアン系、パター系）を使用するときに、ゴルフ場の高低差（気圧差）、又は使用の時期（温度差）の違いによるゴルフクラブヘッドの内外圧の差をいつも一定に調整すれば、安定した反発（方向、飛距離）が得られ、又、内外圧に大きな差がないことにより打球時、クラブヘッドへの急激な衝撃による素材の破損等が回避できる。
【考案を実施するための最良の形態】
【０００６】  本考案に係る中空ゴルフクラブヘッドの変圧装置は、図１に示すように、ゴルフクラブヘッドの底面の後方中央に位置し、図６に示すように、クラブヘッド底面２より引っ込んで取り付けており、その上部から変圧装置３を保護し、又、打撃時の衝撃で内部の圧力が膨張して空気が漏れるのを防止するのも兼ねてネジ込み式のカバー４を装着する、また変圧器内に空気を入れる場合、ストッパー２４（図８）を押してハンドル用の穴２６（図１２）の爪を開かせるとハンドルのネジ山２９（図１１）との接合がフリーになり、スプリング２８（図９）が伸びて容易に空気が変圧器内に充満される、シリンダー２７（図９）の摩擦する部分に硬貨プラスチックでコーティングしていれば円滑に加圧作業が行え、又ゴルフクラブヘッドの強化と圧力漏れ防止を兼ねて、ゴルフクラブヘッドの内側を薄くプラスチック素材等でコーティングする、全体の素材はチタン合金が望ましい。
【図面の簡単な説明】
【０００７】
【図１】  本考案（請求項１）に係る変圧装置を中空ゴルフクラブヘッドに装備した平面図であり、ゴルフクラブヘッド底面２の後方中央に変圧装置３を設置し、その上から変圧装置のカバー４をする。
【図２】  本考案（請求項１）に係る変圧装置（図１）を装着した断面図であり、変圧装置３はゴルフクラブヘッド底面２より引っ込んで凹型に設置し、それを隠すように変圧装置のカバー４を付ける。
【図３】  本考案（請求項１）に係る変圧装置のカバー部位の立体図を拡大した図であり、奥側にはコマ型弁９（図４）の支柱部を固定する円形の穴６（図３）があり、入り口部には内側にネジ切８をしており、コマ型弁（図４）を入れて取付け部位１２（図５）のネジ山１３とで締付け結合する。
【図４】  本考案（請求項１）に係る変圧装置のコマ型弁の立体図を拡大した図であり、奥側の支柱、押し返し用ラバー１０と気圧遮断用ラバー１１を装着したコマ型の翼部位とバルブ口５とで構成している。
【図５】  本考案（請求項１）に係る変圧装置の取付け部位の立体図を拡大した図であり、奥側にはカバー部位（図３）と結合するためのネジ山１３があり、手前側にはゴルフクラブヘッド底面２（図２）に装着するためのネジ山１４があり溝１６に時計回りの回転力を加えて捻じ込んで固定する。
【図６】  本考案（請求項１）に係る変圧装置の装着を拡大した図であり、ゴルフクラブヘッド底面２に変圧装置３を装着させ、それに変圧装置のカバー４をする。
【図７】  本考案（請求項１）に係る変圧装置（図６）の断面図であり、（請求項２）の変圧器２０（図８）のノズル２３をバルブ口５に当てて押し込むと、コマ型弁９が押されて気圧遮断用ラバー１１が開き変圧器からクラブヘッド内に加圧される、一定の圧になったら変圧器を引くと押し返し用ラバー１０の作用によりコマ型弁が元に戻されてゴルフクラブヘッド内と外気が遮断される。
【図８】  本考案（請求項２）に係る携帯用変圧器の平面図であり、変圧器本体２０、ハンドル２１、メーター２２、ノズル２３、ストッパー２４とで構成している。
【図９】  本考案（請求項２）に係る携帯用変圧器（図１２）の断面図であり、変圧器本体２０、ハンドル２１、ノズル２３、逆流防止弁２５、シリンダー２７、スプリング２８で構成している。
【図１０】  本考案（請求項２）に係る携帯用変圧器の本体部位の断面図であり、変圧器２０、ノズル２３、逆流防止弁２５、ハンドル用の穴２６で構成している。
【図１１】  本考案（請求項２）に係る携帯用変圧器の内部の平面図であり、ハンドル２１、逆流防止弁２５、シリンダー２７、スプリング２８、ネジ山２９、空気孔３０で構成している。
【図１２】  本考案（請求項２）に係る携帯用変圧器の本体部位とハンドル部位の側面図であり、本体部位の側面中央には、ストッパー２４に連結して内側にハンドルのネジ山２９（図１１）に合わせている爪のある円形の穴２６と上下に空気孔３０があり、ハンドル２１は硬質プラスチックでコーティグをしているシリンダー２７と連結している。
【図１３】  本考案（請求項２）に係る携帯用変圧器全部の立体図であり、変圧器本体部位２０、ハンドル２１、メーター２２、ストッパー２４とで構成している。
【符号の説明】
【０００８】  １  ゴルフクラブヘッド
２  ゴルフクラブヘッドの底面
３  変圧装置
４  変圧装置のカバー
５  バルブ口
６  変圧装置の外郭部位の穴
７  変圧装置の外郭部位の開口部
８  ネジ切
９  コマ型弁
１０  ラバー（押し返し用）
１１  ラバー（気圧遮断用・大）
１２  変圧装置の取付け部位
１３  ネジ山（外郭部位との結合用）
１４  ネジ山（クラブヘッドとの結合用）
１５  ラバー（気圧遮断用・小）
１６  溝
２０  変圧器
２１  ハンドル
２２  メーター
２３  ノズル
２４  ストッパー
２５  弁（逆流防止用）
２６  ハンドル用の穴
２７  シリンダー
２８  スプリング
２９  ネジ山（シリンダー駆動用）
３０  空気孔
【手続補正３】
【補正対象書類名】図面
【補正対象項目名】全図
【補正方法】変更
【補正の内容】
【図１】
0003125174.tif 000007
【図２】
0003125174.tif 000008
【図３】
0003125174.tif 000009
【図４】
0003125174.tif 000010
【図５】
0003125174.tif 000011
【図６】
0003125174.tif 000012
【図７】
0003125174.tif 000013
【図８】
0003125174.tif 000014
【図９】
0003125174.tif 000015
【図１０】
0003125174.tif 000016
【図１１】
0003125174.tif 000017
【図１２】
0003125174.tif 000018
【図１３】
0003125174.tif 000019
【手続補正書】
【提出日】平成18年5月31日(2006.5.31)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブのヘッドの部位が中空構造で密閉構成されているものに関し、ゴルフクラブヘッド底面の後方中央に、円柱型の変圧装置（３）を装着して、圧縮空気を充満させた変圧器のノズル（１４）から当該変圧装置のバルブ口（５）を介して圧縮空気を注入し、ゴルフクラブヘッド内部の圧力を常時一定にする変圧装置付きゴルフクラブ。
【手続補正２】
【補正対象書類名】明細書
【補正対象項目名】全文
【補正方法】変更
【補正の内容】
【考案の詳細な説明】
【技術分野】
【０００１】一般的に中空構造で密閉型の製品（例；自動車のタイヤ、ピンポン玉）の内部圧力が高過ぎたり低過ぎたりすると、その製品の性能が充分に発揮できないし耐久性も悪くなる、そこで内部圧力を常時適正に調整できればその製品としての性能は安定する、即ち本考案は中空構造で密閉型のゴルフクラブヘッドに変圧装置３（図２）を装着し、変圧器１１（図３）の作用により内部圧力を常時一定に調整することである。
【背景技術】
【０００２】現在、製造販売されている中空構造ヘッドのゴルフクラブでゴルフボールを打つと、従前のゴルフクラブで打つより飛距離は伸びている、しかしゴルフクラブヘッドが中空構造であっても密閉性がないか、又は密閉性のある製品でもゴルフクラブヘッドの内部圧力が製造時のままである為に、外気圧力との高低差や温度差に影響されて、ゴルフクラブとしての性能に安定性が欠けている。
【考案の開示】
【考案が解決しようとする課題】
【０００３】現在、製造販売されている中空構造で密閉型のゴルフクラブヘッド（ウッド系、アイアン系、パター系）の製造過程では製造時の場所や時期で、ゴルフクラブヘッドの内部圧力は個々に違ったものとなるので、性能的に均一性のない製品が多々ある、又内部圧力がほぼ同一のものが作成されたとしても、使用時の場所や時期でゴルフクラブヘッド内外の圧力に差が生じて安定した方向性や飛距離が得られない、例えば冬の低温な時期にドライバー等のヘッドが中空構造で密閉型のゴルフクラブで、ゴルフボールを打った時の飛距離が夏の高温な時期より減少する、逆に高温な時期にゴルフクラブヘッドが中空構造で密閉型のアイアンでゴルフボールを打った時に、想定以上の飛距離が出て戸惑うことがある、又、稀ではあるが内外圧力に大きな差があることで、打球時の衝撃によってゴルフクラブヘッドにひび割れや破損が発生する。
【課題を解決するための手段】
【０００４】この課題を解決するため中空構造で密閉型のゴルフクラブヘッド１（ウッド系、アイアン系、パター系）に変圧装置３（図２）を装着する、そしてまず変圧器１１（図４）のハンドル１２を時計の針が回転するのとは逆方向に廻して緩めると、スプリング１５が伸びる作用も助けとなって容易にシリンダー１６が稼動し、同時に弁１７が開いて空気孔１９から空気が流入する、変圧器内に充分空気が満たされたら、ハンドル１２を時計の針が回転する方向に廻していくとシリンダー１６の弁１７が閉じ、変圧器内の空気が圧縮されて圧力が上がってくる、メーター１３（図３）が一定の目盛になるまで変圧器内に圧縮空気を充満させ、その変圧器１１のノズル１４を当該変圧装置３（図２）のバルブ口５に着けて押し込むと、変圧器１１のノズル１４（図４）が変圧器１１の内側に押されてノズル１４の奥側の弁１８が開き、変圧器内に充満させておいた圧縮空気が変圧装置３を介してゴルフクラブヘッド内に注入され、ゴルフクラブヘッドの内部圧力を常時一定したものに調整できる。
【考案の効果】
【０００５】この変圧装置付きゴルフクラブ（ウッド系、アイアン系、パター系）を使用するときに、ゴルフ場の標高差（気圧差）、又は季節（温度差）の違いによる、ゴルフクラブヘッドの内外圧力の差が、あまり無いように常時一定に調整すれば、安定した反発（方向、飛距離）が得られる、又、ゴルフクラブヘッドの内外圧力に大きな差を生じさせないことで、打球時の急激な衝撃によって内部圧力が過剰に膨張することも抑えられるので、素材への負担が軽減されて、ゴルフクラブヘッドのひび割れや破損が回避できる。
【考案を実施するための最良の形態】
【０００６】本考案に係る中空構造の密閉型ゴルフクラブヘッドの変圧装置３は、ゴルフクラブヘッドの底面の後方中央に位置し（図１）、ゴルフクラブヘッド底面２より引っ込んで装着しており（図２）、その上部から変圧装置３を保護し、又、打球時の衝撃でゴルフクラブヘッド内部の空気が膨張して圧力が漏れるのを防止するのも兼ねて、ネジ込み式のカバー４を装着する。
【図面の簡単な説明】
【０００７】
【図１】本考案に係る変圧装置３を装着したゴルフクラブヘッド底面の平面図であり、ゴルフクラブヘッド底面２、変圧装置のカバー４で構成している、ゴルフボールは矢印方向に飛ぶ。
【図２】本考案に係る変圧装置３を装着したゴルフクラブヘッド（図１）をＸ−Ｘ′で切断した断面図であり、ゴルフクラブヘッド１、ゴルフクラブヘッド底面２、変圧装置３、変圧装置のカバー４、バルブ口５で構成している。
【図３】本考案に係る変圧器の平面図であり、変圧器本体１１、ハンドル１２メーター１３、ノズル１４で構成している。
【図４】本考案に係る変圧器（図３）の透視図であり、変圧器本体１１、ハンドル１２、ノズル１４、スプリング１５、シリンダー１６、逆流防止弁１７、同１８、空気孔１９で構成している。
【符号の説明】
【０００８】  １  ゴルフクラブヘッド
２  ゴルフクラブヘッドの底面
３  変圧装置
４  変圧装置のカバー
５  バルブ口
１１  変圧器
１２  ハンドル
１３  メーター
１４  ノズル
１５  スプリング
１６  シリンダー
１７  弁（逆流防止用、シリンダー側）
１８  弁（逆流防止用、ノズル側）
１９  空気孔
【手続補正３】
【補正対象書類名】図面
【補正対象項目名】全図
【補正方法】変更
【補正の内容】
【図１】
0003125174.tif 000020
【図２】
0003125174.tif 000021
【図３】
0003125174.tif 000022
【図４】
0003125174.tif 000023